(57)【要約】本発明は、クロスフェード処理に伴う処理負荷の増大を抑え、かつ簡単にクロスフェード処理を実現させることを目的とする。  本発明の情報端末は、コンテンツデータを再生するコンテンツ再生部４０と、外部からの着信を検知して着信音を再生する着信音再生部５０と、前記コンテンツデータの再生出力をフェードアウトさせ、前記着信音の再生出力をフェードインさせるクロスフェードを実行して前記コンテンツデータおよび前記着信音の重畳出力を出力するミキサー部６０と、外部からの着信を検知して前記クロスフェード処理の実行を指示する制御部３０とを備える。【特許請求の範囲】
【請求項１】
コンテンツ再生機能を有する情報端末であって、
コンテンツデータを再生するコンテンツ再生手段と、
外部からのイベントを検知してイベント発生の報知音を再生する報知音再生手段と、
前記コンテンツデータの再生出力をフェードアウトさせ、前記報知音の再生出力をフェードインさせるクロスフェードを実行して前記コンテンツデータおよび前記報知音の重畳出力を出力する重畳手段と、
外部からのイベントの発生を検知して、前記コンテンツデータの再生出力をフェードアウトさせ、前記報知音の再生出力をフェードインさせるクロスフェードの実行を指示する指示手段と、
を備える情報端末。
【請求項２】
前記重畳手段は、前記コンテンツデータの再生出力をフェードインさせ、前記報知音の再生出力をフェードアウトさせるクロスフェードを実行して前記コンテンツデータおよび前記報知音の重畳出力を出力し、
前記指示手段は、外部からのイベントの終了を検知して、前記コンテンツデータの再生出力をフェードインさせ、前記報知音の再生出力をフェードアウトさせるクロスフェードの実行を指示する請求項１記載の情報端末。
【発明の詳細な説明】
【技術分野】
【０００１】  本発明は、音楽や動画、テレビ放送などの各種コンテンツの再生機能を有する情報端末に関し、特に、コンテンツ再生中に電話着信があったときのコンテンツ再生動作の制御を特徴とする情報端末に関する。
【背景技術】
【０００２】  近年、メモリの小型大容量化や音声圧縮技術の向上に従い、携帯電話機などの携帯端末でも音楽や動画、テレビ放送などの各種コンテンツを手軽に再生することが可能となってきている。それに伴い、電話着信時の着信音や通話音声などの出力レベルとコンテンツの再生出力レベルの切り換えやバランス調整が重要な制御要素となり、電話の着信時または通話時において適切にこれを調整する携帯電話機などが提案されている（例えば、特許文献１参照）。
【特許文献１】特開２００２−１９９０５６号公報（第６−１５頁、第２図）
【発明の開示】
【発明が解決しようとする課題】
【０００３】  特許文献１に開示された携帯電話機は、音楽データ記録媒体に記録されている音楽データと着信音とを再生する再生部と、外部からの着信を検出する通信部と、音楽データと着信音の出力制御を行う制御部とを備え、再生部が音楽データを再生中に通信部が着信を検出した際、再生部に対して、再生中の音楽データをフェードアウト処理し、着信音をフェードイン処理しながら出力するよう命令する。この携帯電話機によれば、例えば、静かな音楽の再生中に、急遽目を覚ますような激しい着信音の再生に切り替わるというような状況が回避されるので、携帯電話機の使用者は突然の着信に対しても違和感なくそれを認識することができる。【０００４】  しかしながら、上記従来の携帯電話機では、着信音の音量を徐々に上げて、音楽データの音量を徐々に下げるというクロスフェード制御を、制御部がそれぞれの音源に逐一直接指示していたため、制御部（ＣＰＵ）の処理負荷が大きくなる。また、音源ごとに処理を行う必要があるため、音源やその種類が変わると制御用プログラムについても変更や修正を行う必要があり、プログラムの汎用性がなく管理が煩雑になる。デジタルカメラやテレビ電話など携帯電話端末の高機能化に伴って再生できるコンテンツの種類も増加し、今後ますますＣＰＵの処理負荷の増大が予想されることを考慮すると、クロスフェード処理に関わる処理負荷も出来る限り低減することが好ましい。【０００５】  本発明は、クロスフェード処理に伴う処理負荷の増大を抑え、かつ簡単にクロスフェード処理を実現させることができる情報端末を提供することを目的とする。
【課題を解決するための手段】
【０００６】  本発明の情報端末は、コンテンツ再生機能を有する携帯電話端末であって、コンテンツデータを再生するコンテンツ再生手段と、外部からのイベントを検知してイベント発生の報知音を再生する報知音再生手段と、前記コンテンツデータの再生出力をフェードアウトさせ、前記報知音の再生出力をフェードインさせるクロスフェードを実行して前記コンテンツデータおよび前記報知音の重畳出力を出力する重畳手段と、外部からのイベントの発生を検知して、前記コンテンツデータの再生出力をフェードアウトさせ、前記報知音の再生出力をフェードインさせるクロスフェードの実行を指示する指示手段とを備える。【０００７】  上記構成によれば、コンテンツデータの再生出力および外部イベント発生の報知音の再生出力を重畳させる際に、併せてクロスフェード処理を実行することが可能となるため、コンテンツデータ、報知音の再生制御なしにクロスフェード処理を実行できるため、クロスフェード処理に伴う処理負荷を抑えることができる。また、コンテンツ再生源、報知音源はクロスフェード処理の制御対象ではなく、コンテンツの再生出力、報知音の再生出力がクロスフェード処理の制御対象となるため、既存のコンテンツ再生源、音源を変更することなく簡単にクロスフェード処理を実現することができる。【０００８】  また、本発明において、前記重畳手段は、前記コンテンツデータの再生出力をフェードインさせ、前記報知音の再生出力をフェードアウトさせるクロスフェードを実行して前記コンテンツデータおよび前記報知音の重畳出力を出力し、前記指示手段は、外部からのイベントの終了を検知して、前記コンテンツデータの再生出力をフェードインさせ、前記報知音の再生出力をフェードアウトさせるクロスフェードの実行を指示する。【０００９】  上記構成によれば、イベント発生時のクロスフェード処理に加え、イベント終了時のクロスフェード処理の負荷も低減することができる。
【発明の効果】
【００１０】  本発明によれば、コンテンツデータの再生出力および外部イベント発生の報知音の再生出力を重畳させる際に、併せてクロスフェード処理を実行することにより、コンテンツデータ、報知音の再生制御なしにクロスフェード処理を実行できるため、クロスフェード処理に伴う処理負荷を抑えることができる。また、コンテンツ再生源、報知音源はクロスフェード処理の制御対象ではなく、コンテンツの再生出力、報知音の再生出力がクロスフェード処理の制御対象となるため、既存のコンテンツ再生源、音源を変更することなく簡単にクロスフェード処理を実現することができる。
【図面の簡単な説明】
【００１１】
【図１】本発明の実施の形態の内部構成を示す図
【図２】本発明の実施の形態の電話着信時におけるミキサー部のクロスフェード処理手順を示すフローチャート
【図３】ミキサー部におけるクロスフェード処理のタイミング設定を示す図
【符号の説明】
【００１２】  １０  通信部
２０  着信検出部
３０  制御部
４０  コンテンツ再生部
５０  着信音再生部
６０  ミキサー部
７０  スピーカー
８０  表示部
【発明を実施するための最良の形態】
【００１３】  図１は、本発明の情報端末の実施の形態における携帯電話端末の内部構成を示す図である。携帯電話端末１００は、通信部１０、着信検出部２０、制御部３０、コンテンツ再生部４０、着信音再生部５０、ミキサー部６０、スピーカー７０、表示部８０を備える。【００１４】  通信部１０は、携帯電話端末における電話の発呼及び着呼を制御する無線通信ユニットであり、公衆無線電話網を構成する無線基地局との間で通信を行って電話や電子メールなどの送受信を行う。尚、無線通信は公知の手法を用いてよく、従って通信部１０の詳細な内部構成及びそれにより実現される各機能については説明を省略する。着信検知部２０は、通信部１０における電話着信を検出して、後述する制御部３０へ通知する。なお、着信検知部２０が検知する電話着信をイベントとして検知するが、他のイベントとしては、着信イベントとして、ＴＶ電話着信、メール着信、インスタントメッセージ着信がある。また、アラーム動作時には、スケジュールアラーム、バッテリー残量警告をイベントとして検知する。また、圏内／圏外通知をイベントとして検知する。【００１５】  制御部３０は、ＣＰＵ、ＲＯＭ、ＲＡＭなどで構成され、携帯電話端末全体の動作を統括制御する。また、制御部３０は、後述するミキサー部６０に対して、入力される音声や画像などの複数の再生データのクロスフェード処理開始の指示を行う。【００１６】  コンテンツ再生部４０は、静止画、動画、音声、テレビ放送受信データなどを再生するためのブロックで、画像データや音声データを再生するためのデコーダやテレビチューナー等を含む。また、本実施の形態では、コンテンツデータを格納するためのメモリや、外部記録媒体からコンテンツデータを取得するためのインターフェース手段などもこのコンテンツ再生部４０に含む。着信音再生部５０は、電話着信を報知するための着信音（着信メロディ）の再生を行う。また、音声のみならず、着信音に関連付けられた動画（着信動画）なども再生可能で、音声データと画像データの両方の再生を行う。再生する着信メロディや着信動画などのデータは、通信部１０を介してダウンロードするなど、各種方法で着信音再生部５０内のメモリに予め格納されている。【００１７】  ミキサー部６０は、コンテンツ再生部４０と着信音再生部５０から出力される再生データを入力として、両出力を重畳させる際に併せてクロスフェード処理を行う。本実施の形態では、ミキサー部６０の入力は、チャンネルＣＨ１とチャンネルＣＨ２の２系統とし、チャンネルＣＨ１にはコンテンツ再生部４０の出力が、チャンネルＣＨ２には着信音再生部５０の出力が割り当てられる。ミキサー部６０は、予め設定されたタイミングに従って、チャンネルＣＨ１とチャンネルＣＨ２の入力に対するクロスフェード処理を行う。【００１８】  尚、コンテンツ再生部４０及び着信音再生部５０からの出力レベルは音声も映像も常に一定であり、例えば、コンテンツの再生音量と着信音の音量のバランス及びその変更はミキサー部６０で制御される。従って、制御部３０が出力レベルを逐次制御する必要がなく、制御部３０の処理負荷を抑制することができる。【００１９】  スピーカー７０は、ミキサー部６０で重畳さ���た音声出力を音声として再現する。また、表示部８０は、ＣＲＴや液晶ディスプレイ、有機ＥＬディスプレイなどで構成され、同じくミキサー部６０で重畳された映像出力を画像として表示する。【００２０】  図２は、本発明の実施の形態における携帯電話端末の電話着信時におけるミキサー部のクロスフェード処理手順を示すフローチャートである。はじめに、コンテンツ再生部４０でコンテンツデータの再生中に（ステップＳ１０１）、着信検出部２０が電話着信を検知すると（ステップＳ１０２）、制御部３０は、着信音再生部５０に、予め記憶している着信メロディ、着信動画などのデータ再生を指示する（ステップＳ１０３）。【００２１】  通常のコンテンツデータ再生中には、コンテンツ再生部４０からの出力がミキサー部６０のチャンネルＣＨ１に入力され、音声がスピーカー７０から、映像が表示部８０からそのまま再生されるが、電話着信を検知すると着信音再生部５０からの出力がミキサー部６０のチャンネルＣＨ２に入力される（ステップＳ１０４）。制御部３０は、ミキサー部６０にクロスフェード処理の開始を命令し（ステップＳ１０５）、処理命令を受信したミキサー部６０は、図３に示すような予め設定されたタイミングに従って、２つのチャンネルの出力レベルを時系列で調整してクロスフェード処理を実行する（ステップＳ１０６）。また、通話・通信の終了を検知すると、制御部３０からのクロスフェード処理の命令により、ミキサー部６０は着信音再生部５０からの出力をフェードアウトさせ、コンテンツ再生部４０の出力をフェードインさせる。【００２２】  尚、上記の実施の形態において、図３に示すタイミング設定のパターンは、携帯電話端末の使用者によって任意に設定、変更できるようにしてもかまわない。ミキサー部６０は、設定されたタイミングに従ってクロスフェード処理を実行する。そのため、クロスフェード処理のタイミング設定のパターンが変更されても、制御部３０の制御シーケンスに変更は生じないので、制御プログラム等を変更する必要がない。【００２３】  また、上記の実施の形態において、ミキサー部６０の入力チャンネル数は２であるとしたが、これに限るものではなく、たとえばＣＨ１に音楽コンテンツの再生音を、ＣＨ３にテレビ放送の再生音を入力するなど、２以上の異なるコンテンツを別々のチャンネルに入力してミキサー部６０で重畳して出力するよう構成しておき、着信を検出した時に着信音再生部５０の出力をＣＨ２へ入力してフェードインするとともに着信音以外の入力をフェードアウトするようにしても同様の効果が得られる。【００２４】  また、本発明の情報端末は、携帯電話端末に限られず、通信機能を持つＰＤＡ、ゲーム機等の情報端末、通信機能を持つポータブルオーディオ、ビデオカメラ、ビデオモニター、ビデオデッキ、ＤＶＤレコーダー、テレビ、ラジオ、デジタルテレビ、ＳＴＢ等のＡＶ端末、コンテンツ再生機能を持つ据え置き型の電話器、通信機等の通信端末であってもよい。【００２５】  本発明を詳細にまた特定の実施態様を参照して説明したが、本発明の精神と範囲を逸脱することなく様々な変更や修正を加えることができることは当業者にとって明らかである。
本出願は、２００４年８月２７日出願の日本特許出願（特願２００４−２４７９２８）に基づくものであり、その内容はここに参照として取り込まれる。
【産業上の利用可能性】
【００２６】  本発明の情報端末は、コンテンツデータの再生出力および着信音の再生出力を重畳させる際に、併せてクロスフェード処理を実行することが可能となるため、コンテンツデータ、着信音の再生制御なしにクロスフェード処理を実行できるため、クロスフェード処理に伴う処理負荷を抑えることができ、また、コンテンツ再生源、着信音源はクロスフェード処理の制御対象ではなく、コンテンツの再生出力、着信音の再生出力がクロスフェード処理の制御対象となるため、既存のコンテンツ再生源、音源を変更することなく簡単にクロスフェード処理を実現することができるという効果を有し、コンテンツ再生中に電話着信があったときのコンテンツ再生動作の制御技術等として有用である。
【図１】
2006022076.tif 000002
【図２】
2006022076.tif 000003
【図３】
2006022076.tif 000004
【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
コンテンツ再生機能を有する情報端末であって、
コンテンツデータを再生するコンテンツ再生手段と、
外部からのイベントを検知してイベント発生の報知音を再生する報知音再生手段と、
前記コンテンツデータの再生出力をフェードアウトさせ、前記報知音の再生出力をフェードインさせるクロスフェードを実行して前記コンテンツデータおよび前記報知音の重畳出力を出力する重畳手段と、
外部からのイベントの発生を検知して、前記コンテンツデータの再生出力をフェードアウトさせ、前記報知音の再生出力をフェードインさせるクロスフェードの実行を指示する指示手段と、
を備える情報端末。
【請求項２】
前記重畳手段は、前記コンテンツデータの再生出力をフェードインさせ、前記報知音の再生出力をフェードアウトさせるクロスフェードを実行して前記コンテンツデータおよび前記報知音の重畳出力を出力し、
前記指示手段は、外部からのイベントの終了を検知して、前記コンテンツデータの再生出力をフェードインさせ、前記報知音の再生出力をフェードアウトさせるクロスフェードの実行を指示する請求項１記載の情報端末。
【手続補正２】
【補正対象書類名】明細書
【補正対象項目名】全文
【補正方法】変更
【補正の内容】
【発明の詳細な説明】
【技術分野】
【０００１】
本発明は、音楽や動画、テレビ放送などの各種コンテンツの再生機能を有する情報端末に関し、特に、コンテンツ再生中に電話着信があったときのコンテンツ再生動作の制御を特徴とする情報端末に関する。
【背景技術】
【０００２】
近年、メモリの小型大容量化や音声圧縮技術の向上に従い、携帯電話機などの携帯端末でも音楽や動画、テレビ放送などの各種コンテンツを手軽に再生することが可能となってきている。それに伴い、電話着信時の着信音や通話音声などの出力レベルとコンテンツの再生出力レベルの切り換えやバランス調整が重要な制御要素となり、電話の着信時または通話時において適切にこれを調整する携帯電話機などが提案されている（例えば、特許文献１参照）。
【特許文献１】特開２００２−１９９０５６号公報（第６−１５頁、第２図）
【発明の開示】
【発明が解決しようとする課題】
【０００３】
特許文献１に開示された携帯電話機は、音楽データ記録媒体に記録されている音楽データと着信音とを再生する再生部と、外部からの着信を検出する通信部と、音楽データと着信音の出力制御を行う制御部とを備え、再生部が音楽データを再生中に通信部が着信を検出した際、再生部に対して、再生中の音楽データをフェードアウト処理し、着信音をフェードイン処理しながら出力するよう命令する。この携帯電話機によれば、例えば、静かな音楽の再生中に、急遽目を覚ますような激しい着信音の再生に切り替わるというような状況が回避されるので、携帯電話機の使用者は突然の着信に対しても違和感なくそれを認識することができる。
【０００４】
しかしながら、上記従来の携帯電話機では、着信音の音量を徐々に上げて、音楽データの音量を徐々に下げるというクロスフェード制御を、制御部がそれぞれの音源に逐一直接指示していたため、制御部（ＣＰＵ）の処理負荷が大きくなる。また、音源ごとに処理を行う必要があるため、音源やその種類が変わると制御用プログラムについても変更や修正を行う必要があり、プログラムの汎用性がなく管理が煩雑になる。デジタルカメラやテレビ電話など携帯電話端末の高機能化に伴って再生できるコンテンツの種類も増加し、今後ますますＣＰＵの処理負荷の増大が予想されることを考慮すると、クロスフェード処理に関わる処理負荷も出来る限り低減することが好ましい。
【０００５】
本発明は、クロスフェード処理に伴う処理負荷の増大を抑え、かつ簡単にクロスフェード処理を実現させることができる情報端末を提供することを目的とする。
【課題を解決するための手段】
【０００６】
本発明の情報端末は、コンテンツ再生機能を有する携帯電話端末であって、コンテンツデータを再生するコンテンツ再生手段と、外部からのイベントを検知してイベント発生の報知音を再生する報知音再生手段と、前記コンテンツデータの再生出力をフェードアウトさせ、前記報知音の再生出力をフェードインさせるクロスフェードを実行して前記コンテンツデータおよび前記報知音の重畳出力を出力する重畳手段と、外部からのイベントの発生を検知して、前記コンテンツデータの再生出力をフェードアウトさせ、前記報知音の再生出力をフェードインさせるクロスフェードの実行を指示する指示手段とを備える。
【０００７】
上記構成によれば、コンテンツデータの再生出力および外部イベント発生の報知音の再生出力を重畳させる際に、併せてクロスフェード処理を実行することが可能となるため、コンテンツデータ、報知音の再生制御なしにクロスフェード処理を実行できるため、クロスフェード処理に伴う処理負荷を抑えることができる。また、コンテンツ再生源、報知音源はクロスフェード処理の制御対象ではなく、コンテンツの再生出力、報知音の再生出力がクロスフェード処理の制御対象となるため、既存のコンテンツ再生源、音源を変更することなく簡単にクロスフェード処理を実現することができる。
【０００８】
また、本発明において、前記重畳手段は、前記コンテンツデータの再生出力をフェードインさせ、前記報知音の再生出力をフェードアウトさせるクロスフェードを実行して前記コンテンツデータおよび前記報知音の重畳出力を出力し、前記指示手段は、外部からのイベントの終了を検知して、前記コンテンツデータの再生出力をフェードインさせ、前記報知音の再生出力をフェードアウトさせるクロスフェードの実行を指示する。
【０００９】
上記構成によれば、イベント発生時のクロスフェード処理に加え、イベント終了時のクロスフェード処理の負荷も低減することができる。
【発明の効果】
【００１０】
本発明によれば、コンテンツデータの再生出力および外部イベント発生の報知音の再生出力を重畳させる際に、併せてクロスフェード処理を実行することにより、コンテンツデータ、報知音の再生制御なしにクロスフェード処理を実行できるため、クロスフェード処理に伴う処理負荷を抑えることができる。また、コンテンツ再生源、報知音源はクロスフェード処理の制御対象ではなく、コンテンツの再生出力、報知音の再生出力がクロスフェード処理の制御対象となるため、既存のコンテンツ再生源、音源を変更することなく簡単にクロスフェード処理を実現することができる。
【発明を実施するための最良の形態】
【００１１】
図１は、本発明の情報端末の実施の形態における携帯電話端末の内部構成を示す図である。携帯電話端末１００は、通信部１０、着信検出部２０、制御部３０、コンテンツ再生部４０、着信音再生部５０、ミキサー部６０、スピーカー７０、表示部８０を備える。
【００１２】
通信部１０は、携帯電話端末における電話の発呼及び着呼を制御する無線通信ユニットであり、公衆無線電話網を構成する無線基地局との間で通信を行って電話や電子メールなどの送受信を行う。尚、無線通信は公知の手法を用いてよく、従って通信部１０の詳細な内部構成及びそれにより実現される各機能については説明を省略する。着信検知部２０は、通信部１０における電話着信を検出して、後述する制御部３０へ通知する。なお、着信検知部２０が検知する電話着信をイベントとして検知するが、他のイベントとしては、着信イベントとして、ＴＶ電話着信、メール着信、インスタントメッセージ着信がある。また、アラーム動作時には、スケジュールアラーム、バッテリー残量警告をイベントとして検知する。また、圏内／圏外通知をイベントとして検知する。
【００１３】
制御部３０は、ＣＰＵ、ＲＯＭ、ＲＡＭなどで構成され、携帯電話端末全体の動作を統括制御する。また、制御部３０は、後述するミキサー部６０に対して、入力される音声や画像などの複数の再生データのクロスフェード処理開始の指示を行う。
【００１４】
コンテンツ再生部４０は、静止画、動画、音声、テレビ放送受信データなどを再生するためのブロックで、画像データや音声データを再生するためのデコーダやテレビチューナー等を含む。また、本実施の形態では、コンテンツデータを格納するためのメモリや、外部記録媒体からコンテンツデータを取得するためのインターフェース手段などもこのコンテンツ再生部４０に含む。着信音再生部５０は、電話着信を報知するための着信音（着信メロディ）の再生を行う。また、音声のみならず、着信音に関連付けられた動画（着信動画）なども再生可能で、音声データと画像データの両方の再生を行う。再生する着信メロディや着信動画などのデータは、通信部１０を介してダウンロードするなど、各種方法で着信音再生部５０内のメモリに予め格納されている。
【００１５】
ミキサー部６０は、コンテンツ再生部４０と着信音再生部５０から出力される再生データを入力として、両出力を重畳させる際に併せてクロスフェード処理を行う。本実施の形態では、ミキサー部６０の入力は、チャンネルＣＨ１とチャンネルＣＨ２の２系統とし、チャンネルＣＨ１にはコンテンツ再生部４０の出力が、チャンネルＣＨ２には着信音再生部５０の出力が割り当てられる。ミキサー部６０は、予め設定されたタイミングに従って、チャンネルＣＨ１とチャンネルＣＨ２の入力に対するクロスフェード処理を行う。
【００１６】
尚、コンテンツ再生部４０及び着信音再生部５０からの出力レベルは音声も映像も常に一定であり、例えば、コンテンツの再生音量と着信音の音量のバランス及びその変更はミキサー部６０で制御される。従って、制御部３０が出力レベルを逐次制御する必要がなく、制御部３０の処理負荷を抑制することができる。
【００１７】
スピーカー７０は、ミキサー部６０で重畳された音声出力を音声として再現する。また、表示部８０は、ＣＲＴや液晶ディスプレイ、有機ＥＬディスプレイなどで構成され、同じくミキサー部６０で重畳された映像出力を画像として表示する。
【００１８】
図２は、本発明の実施の形態における携帯電話端末の電話着信時におけるミキサー部のクロスフェード処理手順を示すフローチャートである。はじめに、コンテンツ再生部４０でコンテンツデータの再生中に（ステップＳ１０１）、着信検出部２０が電話着信を検知すると（ステップＳ１０２）、制御部３０は、着信音再生部５０に、予め記憶している着信メロディ、着信動画などのデータ再生を指示する（ステップＳ１０３）。
【００１９】
通常のコンテンツデータ再生中には、コンテンツ再生部４０からの出力がミキサー部６０のチャンネルＣＨ１に入力され、音声がスピーカー７０から、映像が表示部８０からそのまま再生されるが、電話着信を検知すると着信音再生部５０からの出力がミキサー部６０のチャンネルＣＨ２に入力される（ステップＳ１０４）。制御部３０は、ミキサー部６０にクロスフェード処理の開始を命令し（ステップＳ１０５）、処理命令を受信したミキサー部６０は、図３に示すような予め設定されたタイミングに従って、２つのチャンネルの出力レベルを時系列で調整してクロスフェード処理を実行する（ステップＳ１０６）。また、通話・通信の終了を検知すると、制御部３０からのクロスフェード処理の命令により、ミキサー部６０は着信音再生部５０からの出力をフェードアウトさせ、コンテンツ再生部４０の出力をフェードインさせる。
【００２０】
尚、上記の実施の形態において、図３に示すタイミング設定のパターンは、携帯電話端末の使用者によって任意に設定、変更できるようにしてもかまわない。ミキサー部６０は、設定されたタイミングに従ってクロスフェード処理を実行する。そのため、クロスフェード処理のタイミング設定のパターンが変更されても、制御部３０の制御シーケンスに変更は生じないので、制御プログラム等を変更する必要がない。
【００２１】
また、上記の実施の形態において、ミキサー部６０の入力チャンネル数は２であるとしたが、これに限るものではなく、たとえばＣＨ１に音楽コンテンツの再生音を、ＣＨ３にテレビ放送の再生音を入力するなど、２以上の異なるコンテンツを別々のチャンネルに入力してミキサー部６０で重畳して出力するよう構成しておき、着信を検出した時に着信音再生部５０の出力をＣＨ２へ入力してフェードインするとともに着信音以外の入力をフェードアウトするようにしても同様の効果が得られる。
【００２２】
また、本発明の情報端末は、携帯電話端末に限られず、通信機能を持つＰＤＡ、ゲーム機等の情報端末、通信機能を持つポータブルオーディオ、ビデオカメラ、ビデオモニター、ビデオデッキ、DVDレコーダー、テレビ、ラジオ、デジタルテレビ、STB等のAV端末、コンテンツ再生機能を持つ据え置き型の電話器、通信機等の通信端末であってもよい。
【００２３】
本発明を詳細にまた特定の実施態様を参照して説明したが、本発明の精神と範囲を逸脱することなく様々な変更や修正を加えることができることは当業者にとって明らかである。
本出願は、2004年8月27日出願の日本特許出願（特願2004−247928）に基づくものであり、その内容はここに参照として取り込まれる。
【産業上の利用可能性】
【００２４】
本発明の情報端末は、コンテンツデータの再生出力および着信音の再生出力を重畳させる際に、併せてクロスフェード処理を実行することが可能となるため、コンテンツデータ、着信音の再生制御なしにクロスフェード処理を実行できるため、クロスフェード処理に伴う処理負荷を抑えることができ、また、コンテンツ再生源、着信音源はクロスフェード処理の制御対象ではなく、コンテンツの再生出力、着信音の再生出力がクロスフェード処理の制御対象となるため、既存のコンテンツ再生源、音源を変更することなく簡単にクロスフェード処理を実現することができるという効果を有し、コンテンツ再生中に電話着信があったときのコンテンツ再生動作の制御技術等として有用である。
【図面の簡単な説明】
【００２５】
【図１】本発明の実施の形態の内部構成を示す図
【図２】本発明の実施の形態の電話着信時におけるミキサー部のクロスフェード処理手順を示すフローチャート
【図３】ミキサー部におけるクロスフェード処理のタイミング設定を示す図
【符号の説明】
【００２６】
１０  通信部
２０  着信検出部
３０  制御部
４０  コンテンツ再生部
５０  着信音再生部
６０  ミキサー部
７０  スピーカー
８０  表示部
【手続補正３】
【補正対象書類名】図面
【補正対象項目名】全図
【補正方法】変更
【補正の内容】
【図１】
2006022076.tif 000005
【図２】
2006022076.tif 000006
【図３】
2006022076.tif 000007
【国際調査報告】
2006022076.tif 000008
2006022076.tif 000009